(57)【要約】【課題】点検業務における点検見落としを防止することができる点検ナビゲーションシステムを提供する。【解決手段】点検対象物識別標識（機器識別標識３００）は、識別情報を格納する識別情報格納手段３１０を有し、点検支援サーバ１００は、点検関連情報１５１を格納する点検関連情報データベース１５０と点検支援携帯端末２００から送信された識別情報に基づいて点検関連情報データベースから点検関連情報を抽出すると共に識別情報を点検支援サーバに送信する点検関連情報抽出手段１１０とを有し、点検支援携帯端末は、点検対象物識別標識から識別情報を取得する識別情報取得手段２１０と、点検支援サーバから送信された点検関連情報を点検者に報知する報知手段（表示手段２６０）とを有する。【選択図】図１
2009187222.tif 000002
【特許請求の範囲】
【請求項１】
点検対象物又は点検対象物の近辺に取付けられて前記点検対象物の識別情報を格納する点検対象物識別標識と、
前記点検対象物に関する点検関連情報を有する点検支援サーバと、
ネットワークを介して前記点検支援サーバに接続されると共に点検者に携帯されて、前記点検対象物識別標識から前記識別情報を取得すると共に前記識別情報に基づいて前記点検対象物の点検関連情報を前記点検者に報知する点検支援携帯端末とを具備し、
前記点検対象物識別標識は、前記識別情報を格納する識別情報格納手段を有し、
前記点検支援サーバは、
前記点検関連情報を格納する点検関連情報データベースと、
前記点検支援携帯端末から送信された前記識別情報に基づいて前記点検関連情報データベースから点検関連情報を抽出すると共に前記識別情報を前記点検支援サーバに送信する点検関連情報抽出手段とを有し、
前記点検支援携帯端末は、
前記点検対象物識別標識から前記識別情報を取得する識別情報取得手段と、
前記点検支援サーバから送信された点検関連情報を前記点検者に報知する報知手段とを有することを特徴とする点検ナビゲーションシステム。
【請求項２】
請求項１に記載の点検ナビゲーションシステムにおいて、
前記点検支援携帯端末は、点検作業を終了した作業終了時刻を前記点検支援サーバに送信する作業終了時間送信手段をさらに有し、
前記点検支援サーバは、
作業終了時刻を格納する点検作業データベースと、
前記点検支援携帯端末から送信された前記作業終了時刻を前記点検作業データベースに登録する作業終了時刻登録手段とをさらに有することを特徴とする点検ナビゲーションシステム。
【請求項３】
請求項１又は２に記載の点検ナビゲーションシステムにおいて、
前記点検支援サーバは、
点検関連情報を音声化する音声化手段をさらに有し、
前記点検関連情報データベースに格納された点検関連情報は、少なくとも人工音声情報化された点検関連情報を含み、
前記点検支援携帯端末の報知手段は、少なくとも人工音声情報化された点検関連情報を音声化することを特徴とする点検ナビゲーションシステム。
【請求項４】
請求項１〜３の何れか一項に記載の点検ナビゲーションシステムにおいて、
前記点検支援携帯端末が聴診棒であることを特徴とする点検ナビゲーションシステム。
【発明の詳細な説明】
【技術分野】
【０００１】
本発明は、設備や機器等の点検対象物の保守を目的とする点検作業を支援するための点検ナビゲーションシステムに関し、詳しくは電気所内で実施する巡視点検及び補修点検等の点検作業を支援するのに有用な点検ナビゲーションシステムに関するものである。
【背景技術】
【０００２】
発電所のような複雑なシステムを停止させることなく稼働させるためには、発電設備、環境装置等に付属している単独機器に対する日常の点検業務を欠かすことはできない。しかしながら、このような点検業務において、従来から、点検対象機器についての情報の不足、点検者の思い込み・勘違い・忘却、申し送り事項の引継ぎ不足などの人的要因に起因した点検事項を見落すことがあり、このような点検見落としを完全に防ぐことが困難であるという問題があった。
【０００３】
このような問題に対して、さまざまな解決方法が提案されている（特許文献１〜１５参照）。
【０００４】
【特許文献１】特開２０００−２０７４５１号公報
【特許文献２】特開２００２−２９０３２１号公報
【特許文献３】特開平５−８９３９２号公報
【特許文献４】特開平７−５６９９９号公報
【特許文献５】特開２０００−２０７６６９号公報
【特許文献６】特開２００３−３１６４２６号公報
【特許文献７】特開２００１−１１７６３４号公報
【特許文献８】特開平１０−３０２１８２号公報
【特許文献９】特開平７−１８２０３１号公報
【特許文献１０】特開平５−７９７３４号公報
【特許文献１１】特開平８−２５４４１８号公報
【特許文献１２】特開２００２−２９７６６９号公報
【特許文献１３】特開２００４−２７２３２８号公報
【特許文献１４】特開２００３−８５６７７号公報
【特許文献１５】特開２００２−２４４７２９号公報
【発明の開示】
【発明が解決しようとする課題】
【０００５】
しかしながら、上述した解決方法は、いずれも巡視点検機器のデータ送受信手段を用いたデータの保存、巡視点検機器の異常診断の補助などを目的としたものであり、点検業務における点検見落としを防止することができないという問題があった。
【０００６】
本発明は、上述した事情に鑑み、点検業務における点検見落としを防止することができる点検ナビゲーションシステムを提供することを目的とする。
【課題を解決するための手段】
【０００７】
上記課題を解決する本発明の第１の態様は、点検対象物又は点検対象物の近辺に取付けられて前記点検対象物の識別情報を格納する点検対象物識別標識と、前記点検対象物に関する点検関連情報を有する点検支援サーバと、ネットワークを介して前記点検支援サーバに接続されると共に点検者に携帯されて、前記点検対象物識別標識から前記識別情報を取得すると共に前記点識別情報に基づいて前記点検対象物の点検関連情報を前記点検者に報知する点検支援携帯端末とを具備し、前記点検対象物識別標識は、前記識別情報を格納する識別情報格納手段を有し、前記点検支援サーバは、前記点検関連情報を格納する点検関連情報データベースと、前記点検支援携帯端末から送信された前記識別情報に基づいて前記点検関連情報データベースから点検関連情報を抽出すると共に前記識別情報を前記点検支援サーバに送信する点検関連情報抽出手段とを有し、前記点検支援携帯端末は、前記点検対象物識別標識から前記識別情報を取得する識別情報取得手段と、前記点検支援サーバから送信された点検関連情報を前記点検者に報知する報知手段とを有することを特徴とする点検ナビゲーションシステムにある。
【０００８】
かかる第１の態様では、点検者に点検対象物に応じた点検関連情報を報知することができるので、点検業務における見落としを防止することができると共に高品質な点検業務を行なうことができる。
【０００９】
本発明の第２の態様は、第１の態様に記載の点検ナビゲーションシステムにおいて、前記点検支援携帯端末は、点検作業を終了した作業終了時刻を前記点検支援サーバに送信する作業終了時間送信手段をさらに有し、前記点検支援サーバは、作業終了時刻を格納する点検作業データベースと、前記点検支援携帯端末から送信された前記作業終了時刻を前記点検作業データベースに登録する作業終了時刻登録手段とをさらに有することを特徴とする点検ナビゲーションシステムにある。
【００１０】
かかる第２の態様では、点検作業の終了時間を管理することができるので、点検業務を効率化することができる。
【００１１】
本発明の第３の態様は、請求項１又は２に記載の点検ナビゲーションシステムにおいて、前記点検支援サーバは、点検関連情報を音声化する音声化手段をさらに有し、前記点検関連情報データベースに格納された点検関連情報は、少なくとも人工音声情報化された点検関連情報を含み、前記点検支援携帯端末の報知手段は、少なくとも人工音声情報化された点検関連情報を音声化することを特徴とする点検ナビゲーションシステムにある。
【００１２】
かかる第３の態様では、点検者は視線を動かすことなく点検作業を行うことができる。
【００１３】
本発明の第４の態様は、第１〜３の態様の何れか一つに記載の点検ナビゲーションシステムにおいて、前記点検支援携帯端末が聴診棒であることを特徴とする点検ナビゲーションシステムにある。
【００１４】
かかる第４の態様では、より効率的に点検作業を行うことができる。
【発明の効果】
【００１５】
本発明に係る点検ナビゲーションシステムによると、点検業務における見落としを防止することができると共に、高品質な点検業務を行なうことができ、さらに点検業務を効率化することができるという効果を奏する。
【発明を実施するための最良の形態】
【００１６】
以下、本発明を実施するための最良の形態について説明する。なお、本実施形態の説明は例示であり、本発明は以下の説明に限定されない。
【００１７】
（実施形態１）
図１は、本発明の実施形態１に係る点検ナビゲーションシステムを示す概略図である。図１に示すように、本実施形態に係る点検ナビゲーションシステム１は、点検支援サーバ１００と、ネットワーク１０を介して点検支援サーバ１００に接続される点検支援携帯端末２００と、点検対象物又は点検対象物の近辺に取付けられる点検識別標識である機器識別標識３００とを具備している。
【００１８】
まず、機器識別標識３００について説明する。図１に示すように、機器識別標識３００は識別情報格納手段３１０を有する。そして、機器識別標識３００は、識別情報格納手段３１０を有するものであれば特に限定されない。機器識別標識３００としては、例えば点検対象物又は点検対象物の近辺に貼ることができるシールなどが挙げられる。
【００１９】
識別情報格納手段３１０は、識別情報３１１を格納することができるものであれば特に限定されない。識別情報格納手段３１０としては、例えば識別情報３１１が格納された非接触型半導体タグ（無線ＩＣタグ）や、識別情報３１１が記録されたバーコードなどが挙げられる。ここで、識別情報３１１とは、点検対象物を識別するために用いられる情報であり、例えば図２に示すように、各点検対象物に対して付与された認識番号などが挙げられる。
【００２０】
このように機器識別標識３００を構成することにより、機器識別標識３００は、点検対象物の識別情報３１１を保持しつつ、点検対象物又は点検対象物の近辺に取付けることができる。
【００２１】
次に、点検支援サーバ１００について説明する。点検支援サーバ１００は、図１に示すように、点検関連情報１５１を格納する点検関連情報データベース１５０と、点検作業が終了した作業終了時刻１６１を格納する点検作業データベース１６０と、識別情報３１１に基づいて点検関連情報データベース１５０から点検関連情報１５１を抽出する点検関連情報抽出手段１１０と、作業終了時刻１６１を点検作業データベース１６０に登録する作業終了時刻登録手段１２０とを有する。そして、点検支援サーバ１００は、少なくともこれらのものを有するものであれば特に限定されない。点検支援サーバとしては、例えば一般的なパーソナルコンピュータや専用計算機などが挙げられる。
【００２２】
点検関連情報データベース１５０は、点検関連情報１５１を格納することができるものであれば特に限定されない。ここで、点検関連情報１５１とは、例えば図３に示すような点検対象物の点検項目や、図示しないが点検の手順、前任者からの引継ぎ事項などの情報である。
【００２３】
点検作業データベース１６０は、少なくとも作業終了時刻１６１を格納することができるものであれば特に限定されない。ここで、作業終了時刻１６１とは、点検支援携帯端末２００から送信されるものであり、例えば図４に示すようなものである。
【００２４】
点検関連情報抽出手段１１０は、識別情報３１１に基づいて点検関連情報データベース１５０から点検関連情報１５１を抽出するように機能するものであれば特に限定されない。具体的には、点検関連情報抽出手段１１０としては、例えば点検関連情報データベース１５０に図３に示す点検関連情報１５１が格納されているものとし、さらに点検すべき点検対象物の識別情報３１１が「００３６」であるとした場合に、識別情報３１１「００３６」に基づいて、点検関連情報データベース１５０から点検関連情報１５１「設定値、指示値、異常値、漏れ」を抽出するように機能するプログラムなどが挙げられる。
【００２５】
作業終了時刻登録手段１２０は、後述する作業終了時刻１６１を点検作業データベース１６０に登録するように機能するものであれば特に限定されない。作業終了時刻登録手段１２０としては、そのように機能するプログラムなどが挙げられる。
【００２６】
このように点検支援サーバ１００を構成することにより、点検支援携帯端末２００から送信された識別情報３１１に基づいて、点検関連情報データベース１５０から点検関連情報１５１を抽出して点検支援携帯端末２００に送信することができ、さらに点検支援携帯端末２００から送信された作業終了時刻１６１を点検作業データベース１６０に格納することができる。
【００２７】
さらに、点検支援携帯端末２００について説明する。点検支援携帯端末２００は、図１に示すように、識別情報取得手段２１０と、識別情報送信手段２２０と、時計手段２３０と、作業終了入力手段２４０と、作業終了時刻送信手段２５０と、表示手段２６０とを有する。
【００２８】
識別情報取得手段２１０は、機器識別標識３００から識別情報３１１を取得するように機能するものであれば特に限定されない。識別情報取得手段２１０としては、例えば無線ＩＣタグに電磁波を照射し、その電磁波を電源として非接触型半導体タグから放射される電磁波を受信する回路や、バーコードリーダなどが挙げられる。
【００２９】
識別情報送信手段２２０は、機器識別標識３００から取得した識別情報３１１を点検支援サーバ１００に送信することができるものであれば特に限定されない。識別情報送信手段２２０としては、例えばコンピュータネットワークを介して識別情報３１１を点検支援サーバ１００に送信するように機能するプログラムなどが挙げられる。
【００３０】
時計手段２３０は、時刻を計時することができるものであれば特に限定されない。時計手段２３０としては、例えば時刻を計時する時計回路などが挙げられる。
【００３１】
作業終了入力手段２４０は、点検作業終了の入力を促すように機能するものであれば特に限定されない。作業終了入力手段２４０としては、例えば点検支援携帯端末２００に設けられた液晶ディスプレイなどに「点検作業が終了した時に、終了ボタンを押してください」と表示して、点検作業終了の入力を促すプログラムなどが挙げられる。
【００３２】
作業終了時刻送信手段２５０は、作業終了入力手段２４０により、点検作業が終了したことが入力されると、時計手段２３０からその時の作業終了時刻１６１を取得すると共に、作業終了時刻１６１を点検支援サーバ１００に送信するように機能するものである。作業終了時刻送信手段２５０としては、例えば時計手段２３０から作業終了時刻を取得すると共に、コンピュータネットワークを介して作業終了時刻を点検支援サーバ１００に送信するように機能するプログラムなどが挙げられる。
【００３３】
表示手段２６０は、点検支援サーバ１００から送信された点検関連情報１５１を点検者に報知する報知手段の１つであり、点検支援サーバ１００から送信された点検関連情報１５１を表示することができるものであれば特に限定されない。表示手段２６０としては、例えば液晶ディスプレイなどが挙げられる。
【００３４】
このように点検支援携帯端末２００を構成することにより、機器識別標識３００から識別情報３１１を取得して、点検支援サーバ１００にその識別情報３１１を送信すると共に、点検支援サーバ１００から送信された点検関連情報１５１を表示手段２６０により表示することができ、さらに作業終了時刻１６１を点検支援サーバ１００に送信することができる。
【００３５】
以上、説明したような点検ナビゲーションシステム１を構成することにより、点検者に点検対象物に応じた点検関連情報を点検者に報知することができることから、点検業務における点検見落としを防止することができると共に高品質な点検業務を行なうことができ、さらに点検作業の終了時間を管理することができるので、点検業務を効率化することができる。
【００３６】
次に、本実施形態の点検ナビゲーションシステム１の動作について説明する。図５は、本実施形態の点検ナビゲーションシステム１の動作を示すシーケンスである。図５に示すように、まず、点検支援携帯端末２００は、識別情報取得手段２１０により、機器識別標識３００から識別情報３１１を取得する（Ｓ１）。そして、取得された識別情報３１１は、ネットワーク１０を介して点検支援携帯端末２００から点検支援サーバ１００に送信される（Ｓ２）。
【００３７】
点検支援サーバ１００がその識別情報３１１を受信すると、点検関連情報抽出手段１１０により、その識別情報３１１に基づいて点検関連情報データベース１５０から点検関連情報１５１を抽出して（Ｓ３）、その点検関連情報１５１を点検支援携帯端末２００に送信する（Ｓ４）。送信された点検関連情報は、表示手段２６０によって表示される（Ｓ５）。次に、点検者から点検作業が終了したこと（作業終了）が入力されたか否かを判断する（Ｓ６）。そして、作業終了が入力されるまでＳ５を繰り返し、作業終了が入力されると、作業終了時刻送信手段２５０により、作業終了が入力された時刻が作業終了時刻として点検支援サーバ１００に送信される（Ｓ７）。
【００３８】
点検支援サーバ１００が作業終了時刻を受信すると、作業終了時刻登録手段１２０により、その作業終了時刻を点検作業データベース１６０に登録する（Ｓ８）。
【００３９】
（実施形態２）
実施形態１では、文字情報からなる点検関連情報が点検支援サーバと点検支援携帯端末との間で送受信などされるが、文字情報だけでなく、人工音声情報化された点検関連情報が送受信などされてもよい。具体的には、図６に示すような点検ナビゲーションシステムを構築して、文字情報だけでなく、人工音声情報化された点検関連情報が点検支援サーバと点検支援携帯端末との間で送受信されるようにしてもよい。ここで、人工音声情報とは、情報を人口音声器やスピーカーなどで音声化することができるようにしたものである。
【００４０】
図６は、本実施形態に係る点検ナビゲーションシステムの概略図である。図６に示すように、本実施形態に係る点検ナビゲーションシステム１Ａは、実施形態１に係る点検ナビゲーションシステムと比較して、点検支援サーバ１００Ａが人工音声情報化手段１３０をさらに有する点と、点検支援携帯端末２００Ａが報知手段の１つである音声化手段２７０をさらに有する点とが異なる。その他の構成要素は、実施形態１に係る点検ナビゲーションシステムと同じであるので、同符号を付して説明を省略する。
【００４１】
人工音声情報化手段１３０は、点検関連情報１５１を人口音声器やスピーカーなどで音声化することができるような情報に変換するように機能するものであれば特に限定されない。人工音声情報化手段１３０としては、例えば文字情報からなる点検関連情報１５１をスピーカーで再生することができるようなデータに変換するプログラムなどが挙げられる。
【００４２】
音声化手段２７０は、人工音声情報化手段１３０により人口音声情報化された点検関連情報１５１を音声化することができるものであれば特に限定されない。音声化手段２７０としては、例えばスピーカーなどが挙げられる。
【００４３】
以上説明したような点検ナビゲーションシステム１Ａを構成することにより、実施形態１で説明した効果に加えて、点検者に点検関連情報１５１を音声で伝えることができるので、点検者は視線を動かすことなく点検作業を行うことができ、点検業務をより効率化することができる。
【００４４】
（実施形態３）
実施形態１及び２では、点検支援サーバと機器識別標識とは、直接接続されることはないが、点検支援サーバと機器識別標識とを接続して、機器識別標識の識別情報格納手段に格納されている識別情報を書き換えることができるようにしてもよい。具体的には、図７に示すような点検ナビゲーションシステムを構築して、機器識別標識の識別情報格納手段に格納されている識別情報を書き換えることができるようにしてもよい。
【００４５】
図７は、本実施形態の点検ナビゲーションシステムの概略図である。図７に示すように、本実施形態の点検ナビゲーションシステム１Ｂは、実施形態１に係る点検ナビゲーションシステムと比較して、通信回線２０を介して点検支援サーバ１００Ｂと機器識別標識３００とが接続されている点と、点検支援サーバ１００Ｂが識別情報書換手段１４０をさらに有する点が異なる。その他の構成要素は、実施形態１に係る点検ナビゲーションシステムと同じであるので、同符号を付して説明を省略する。
【００４６】
通信回線２０は、点検支援サーバ１００Ｂと機器識別標識３００とを接続することができるものであれば特に限定されない。通信回線２０としては、例えば赤外線や電磁波を用いた近距離無線通信回線などが挙げられる。なお、この通信回線２０は、常時点検支援サーバ１００Ｂと機器識別標識３００とを接続するようにしてもよいし、識別情報３１１を書き換える際にのみ接続されるようにしてもよい。
【００４７】
識別情報書換手段１４０は、機器識別標識３００の識別情報格納手段３１０に格納されている識別情報３１１を書き換えるように機能するものであれば特に限定されない。識別情報書換手段１４０としては、例えば、識別情報格納手段３１０が格納された識別情報を書換可能な無線ＩＣタグである場合には、書き換えるべき識別情報を含んだ電磁波を照射し、無線ＩＣタグに格納された識別情報３１１を書き換えるように機能する回路などが挙げられる。なお、書き換えられる識別情報３１１は、その回路内に設けられたＲＯＭなどに記録されるようにしてもよいし、点検支援サーバ１００Ｂ内にさらに設けられた識別情報データベースに格納されるようにしてもよい。
【００４８】
以上説明したような点検ナビゲーションシステム１Ｂを構成することにより、点検支援サーバ１００が有する識別情報をもとにして機器識別標識の識別情報３１１を書き換えているので、識別情報３１１を容易に管理することができると共に、識別情報３１１を書き換えて機器識別標識３００を再利用することができる。
【００４９】
（実施形態４）
実施形態１〜３では、点検支援携帯端末の形態は特に限定しなかったが、点検支援携帯端末として図８及び図９に示すような聴診棒で構成してもよい。図８は聴診棒２００Ｃの側面図であり、図９は聴診棒の上面図である。ここで、聴診棒２００Ｃとは、発電所内の機器を点検する際に用いられる器具であり、聴診棒２００Ｃの下端部１９１を点検する機器に接触させつつ、聴診棒２００Ｃの上端部１９０に点検者の耳を押し当てることにより、点検対象物の発する音を聞き取って点検対象物を点検することができるようになっている。このように、点検支援携帯端末を聴診棒２００Ｃで構成することにより、より効率的に点検作業を行うことができる。
【００５０】
（他の実施形態）
実施形態１〜４では、点検支援携帯端末に表示などされる点検関連情報は、機器識別標識の識別情報格納手段に格納された識別情報に基づいて、点検支援サーバから送信されるようにしたが、予め点検対象物が分かっている場合には、その点検対象物に関する点検関連情報を予め点検支援携帯端末に送信して蓄積しておき、機器識別標識の識別情報を取得した際に、その識別情報に基づいて蓄積されていた点検関連情報を点検支援携帯端末に表示などされるようにしてもよい。すなわち、実施形態１〜４とは異なり、予め点検支援サーバから必要となる点検関連情報を送信しておき、点検支援携帯端末が機器識別標識から識別情報を取得した際に、その識別情報に基づいて蓄積されていた点検関連情報を点検支援携帯端末に表示などされるようにしてもよい。このようにしても、実施形態１〜４と同様の効果が得られる。
【００５１】
また、実施形態１〜４では、点検作業終了が点検支援携帯端末に入力された時に点検終了時刻を取得し、その点検終了時刻を点検支援サーバの点検作業データベースに格納するようにしたが、点検作業を始めた際にその時刻を取得し、その時刻を点検支援サーバの点検データベースに格納するようにしてもよいし、点検作業を始めてから所定の時間が経過した時刻を取得し、その時刻を点検支援サーバの点検作業データベースに格納するようにしてもよい。このようにしても、実施形態１〜４と同様の効果が得られる。
【００５２】
さらに、実施形態１〜４では、報知手段として、表示手段と音声手段とを用いたが、報知手段はこれらに限定されない。報知手段としては、これらの他に、例えば振動モーターなどが挙げられる。
【図面の簡単な説明】
【００５３】
【図１】実施形態１に係る点検ナビゲーションシステムの概略図である。
【図２】実施形態１の識別情報の一例を示す図である。
【図３】実施形態１の点検関連情報の一例を示す図である。
【図４】実施形態１の作業終了時刻の一例を示す図である。
【図５】実施形態１に係る点検ナビゲーションシステムの動作を示すシーケンスである。
【図６】実施形態２に係る点検ナビゲーションシステムの概略図である。
【図７】実施形態３に係る点検ナビゲーションシステムの概略図である。
【図８】聴診棒の側面図である。
【図９】聴診棒の上面図である。
【符号の説明】
【００５４】
１、１Ａ、１Ｂ  点検ナビゲーションシステム
１０  ネットワーク
２０  通信回線
１００、１００Ａ、１００Ｂ  点検支援サーバ
１１０  点検関連情報抽出手段
１２０  作業終了時刻登録手段
１３０  人工音声情報化手段
１４０  識別情報書換手段
１５０  点検関連情報データベース
１５１  点検関連情報
１６０  点検作業データベース
１６１  作業終了時刻
１９０  聴診棒の上端部
１９１  聴診棒の下端部
１９５  聴診棒の鍔部
２００、２００Ａ  点検支援携帯端末
２００Ｃ  聴診棒
２１０  識別情報取得手段
２２０  識別情報送信手段
２３０  時計手段
２４０  作業終了入力手段
２５０  作業終了時刻送信手段
２６０  表示手段
２７０  音声化手段
３００  機器識別標識
３１０  識別情報格納手段
３１１  識別情報
【図１】
2009187222.tif 000003
【図２】
2009187222.tif 000004
【図３】
2009187222.tif 000005
【図４】
2009187222.tif 000006
【図５】
2009187222.tif 000007
【図６】
2009187222.tif 000008
【図７】
2009187222.tif 000009
【図８】
2009187222.tif 000010
【図９】
2009187222.tif 000011